(57)【要約】【課題】  人造まつげの取り付け方法を提供する。【解決手段】  人造まつげの取り付け方法は、少なくとも一端部１１側が粘着性物質３により保持部材２上に保持された人造まつげ１をユーザに取り付ける方法であって、人造まつげ１を他端部１２側から一端部１１側へ向けて途中まで粘着性物質３から剥がした部分で他端部１２側から一端部１１側へ向けて折り曲げることにより、一端部１１側に第１の折り目部１３を形成する工程と、一端部１１側のうち、未だ剥がされていない最端部領域１５を粘着性物質３から剥がす工程と、剥がされた人造まつげ１の最端部領域１５の少なくとも一部に接着剤５を塗布する工程と、接着剤５が塗布された最端部領域１５をユーザのまつげに沿って接着させる工程と、を備えている。【選択図】図３
2019157288.tif 000002
【特許請求の範囲】
【請求項１】
少なくとも一端部側が粘着性物質により保持部材上に保持された人造まつげをユーザに取り付ける方法であって、
前記人造まつげを他端部側から前記一端部側へ向けて途中まで前記粘着性物質から剥がした部分で前記他端部側から前記一端部側へ向けて折り曲げることにより、前記一端部側に第１の折り目部を形成する工程と、
前記一端部側のうち、未だ剥がされていない最端部領域を前記粘着性物質から剥がす工程と、
前記剥がされた人造まつげの前記最端部領域の少なくとも一部に接着剤を塗布する工程と、
前記接着剤が塗布された前記最端部領域をユーザのまつげに沿って接着させる工程と、
を備えたことを特徴とする人造まつげの取り付け方法。
【請求項２】
前記最端部領域に接着剤を塗布する際に、前記第１の折り目部に達するように塗布することを特徴とする請求項１に記載の人造まつげの取り付け方法。
【請求項３】
前記第１の折り目部を形成した後に、前記第１の折り目部を形成した時よりも前記第１の折り目部に近い部分に力を加えて、前記第１の折り目部を前記他端部側から前記一端部側へ向けてもう一度折り曲げる工程を更に備えたことを特徴とする請求項１又は２に記載の人造まつげの取り付け方法。
【請求項４】
前記第１の折り目部を形成する工程において、前記他端部側をつまみながら前記人造まつげを前記粘着性物質から剥がし、前記つまんだ部分に前記第１の折り目部とは逆向きに折れた第２の折り目部を形成することを特徴とする請求項１から３のいずれか一項に記載の人造まつげの取り付け方法。
【請求項５】
前記保持部材上には、前記粘着性物質により複数の人造まつげが近接して並ぶように保持されており、
前記第１の折り目部を形成する工程では、前記複数の人造まつげをまとめて前記他端部側から前記一端部側へ向けて折り曲げて第１の折り目部を形成し、
前記剥がす工程では、前記複数の人造まつげの最端部領域をまとめて前記粘着性物質から剥がし、
前記塗布する工程では、前記最端部領域を集合させて前記接着剤を塗布し、
前記接着させる工程では、前記集合させた前記最端部領域を前記ユーザのまつげに沿って接着させることを特徴とする請求項１から４のいずれか一項に記載の人造まつげの取り付け方法。
【発明の詳細な説明】
【技術分野】
【０００１】
本発明は、人造まつげの取り付け方法に関する。
【背景技術】
【０００２】
従来より、ユーザのまつげのボリュームや長さをアップさせるために、化学繊維等から作られた人造まつげに接着剤を塗布してユーザのまつげに接着させる方法が知られている。（例えば、特許文献１参照）。
【先行技術文献】
【特許文献】
【０００３】
【特許文献１】特許６２３５７４０号公報
【発明の概要】
【発明が解決しようとする課題】
【０００４】
ところで、従来の方法では、人造まつげに塗布した接着剤がユーザのまつげとの接着部分以外にも流れてしまい、見栄えが悪くなってしまうという問題点があった。
【０００５】
また、人造まつげは、上向きの角度で取り付けることが好まれるが、その角度にも個人差があるため、ユーザの希望に応じるためには、カールの度合いの異なる多種類の人造まつげを準備しなければならないという問題点もあった。
【０００６】
そこで、本発明は、見栄えがよく、かつ、取り付け角度を自由に調整することのできる人造まつげの取り付け方法を提供することを目的としている。
【課題を解決するための手段】
【０００７】
本発明は、少なくとも一端部側が粘着性物質により保持部材上に保持された人造まつげをユーザに取り付ける方法であって、前記人造まつげを他端部側から前記一端部側へ向けて途中まで前記粘着性物質から剥がした部分で前記他端部側から前記一端部側へ向けて折り曲げることにより、前記一端部側に第１の折り目部を形成する工程と、前記一端部側のうち、未だ剥がされていない最端部領域を前記粘着性物質から剥がす工程と、前記剥がされた人造まつげの前記最端部領域の少なくとも一部に接着剤を塗布する工程と、前記接着剤が塗布された前記最端部領域をユーザのまつげに沿って接着させる工程と、を備えたことを特徴とする人造まつげの取り付け方法を提供している。
【０００８】
このような構成によれば、第１の折り目部の角度を調整することで、ユーザのまつげへの人造まつげの取り付け角度を自由に調整することが可能になる。また、第１の折り目部により、人造まつげの最端部領域に塗布された接着剤が他端部側に流れることが抑制されるので、人造まつげをユーザのまつげに装着した際の前面側（他端部側）の見栄えが悪くなることが抑制される。
【０００９】
また、前記最端部領域に接着剤を塗布する際に、前記第１の折り目部に達するように塗布することが好ましい。
【００１０】
このような構成によれば、第１の折り目部に達した接着剤により、第１の折り目部自体の強度も補強されるので、第１の折り目部を形成したことによる人造まつげの強度の低下が抑制される。
【００１１】
また、前記第１の折り目部を形成した後に、前記第１の折り目部を形成した時よりも前記第１の折り目部に近い部分に力を加えて、前記第１の折り目部を前記他端部側から前記一端部側へ向けてもう一度折り曲げる工程を更に備えたことが好ましい。
【００１２】
このような構成によれば、第１の折り目部を形成した時よりも強い力をかけることができるので、よりしっかりと第１の折り目部を形成することが可能となる。
【００１３】
また、前記第１の折り目部を形成する工程において、前記他端部側をつまみながら前記人造まつげを前記粘着性物質から剥がし、前記つまんだ部分に前記第１の折り目部とは逆向きに折れた第２の折り目部を形成することが好ましい。
【００１４】
このような構成によれば、人造まつげをユーザのまつげに装着した際に、第２の折り目部によって、他端部側がより前方へ向くので、人造まつげをより見栄えよく装着することが可能となる。
【００１５】
また、前記保持部材上には、前記粘着性物質により複数の人造まつげが近接して並ぶように保持されており、前記第１の折り目部を形成する工程では、前記複数の人造まつげをまとめて前記他端部側から前記一端部側へ向けて折り曲げて第１の折り目部を形成し、前記剥がす工程では、前記複数の人造まつげの最端部領域をまとめて前記粘着性物質から剥がし、前記塗布する工程では、前記最端部領域を集合させて前記接着剤を塗布し、前記接着させる工程では、前記集合させた前記最端部領域を前記ユーザのまつげに沿って接着させることが好ましい。
【００１６】
このような構成によれば、人造まつげの最端部領域に塗布された接着剤が他端部側に流れることが、表面張力によっても抑制される。また、各人造まつげは、最端部領域を軸として回転させることができるので、他端部側が開いた美しい状態で人造まつげを装着することが可能になる。
【発明の効果】
【００１７】
本発明の人造まつげの取り付け方法によれば、見栄えがよく、かつ、取り付け角度を自由に調整することが可能となる。
【図面の簡単な説明】
【００１８】
【図１（ａ）】本発明の実施の形態による保持部材及び人造まつげの外観図、
【図１（ｂ）】本発明の実施の形態による保持部材及び人造まつげの側面図
【図２】本発明の実施の形態による人造まつげの取り付け方法のフローチャート
【図３】本発明の実施の形態による人造まつげの取り付け方法の説明図
【図４】本発明の変形例による複数の人造まつげの形状をユーザの上方から見た説明図
【発明を実施するための形態】
【００１９】
以下、本発明の実施の形態による人造まつげの取り付け方法について、図１−図３を参照して説明する。
【００２０】
本実施の形態では、図１（ａ）及び図１（ｂ）に示すように、多数の人造まつげ１が粘着性物質３により保持された保持部材２から一又は複数の人造まつげ１を取り外してユーザのまつげに取り付ける。
【００２１】
保持部材２は、略平面形状を有しており、その上に粘着性物質３が塗布されている。本実施の形態では、粘着性物質３は、数ｍｍ程度の短辺３１と、長尺の長辺３２と、を有する略長方形状に塗布されている。各人造まつげ１は、粘着性物質３の短辺３１に沿うように、かつ、互いに近接して並ぶように配置され、その一端部１１側が粘着性物質３によって保持部材２上に保持されている。一方、他端部１２側は、粘着性物質３により保持されずに開放されている。
【００２２】
続いて、図２及び図３を参照して、上記構成を有する保持部材２から人造まつげ１を取り外してユーザのまつげに取り付ける方法について説明する。以下では、理解容易のために、一本の人造まつげ１を取り外してユーザのまつげに取り付ける場合について説明する。
【００２３】
まず、人造まつげ１の一端部１１側に第１の折り目部１３を形成する（図２のＳ１）。
【００２４】
具体的には、図３（ａ）に示すように、ツィーザー４を用いて、粘着性物質３により保持されていない他端部１２側をつまみ、人造まつげ１を他端部１２側から一端部１１側へ向けて途中まで粘着性物質３から剥がした部分で他端部１２側から一端部１１側へ向けて折り曲げることにより、第１の折り目部１３を形成することが考えられる。なお、本実施の形態では、ツィーザー４に関しては、理解容易のために、つまんだ部分のみを図示している。
【００２５】
続いて、第１の折り目部１３の折り目をしっかりとさせるために、第１の折り目部１３を他端部１２側から一端部１１側へ向けてもう一度折り曲げる（図２のＳ２）。
【００２６】
具体的には、強い力がかかるように、ツィーザー４をいったん離した後、図３（ｂ）に示すように、Ｓ１でつまんだ部分よりも第１の折り目部１３に近い部分をつまみ直して押し込むように力（Ｆ）を加えることが好ましい。なお、図３（ｂ）に示すように、他端部１２を離すと、図２のＳ１でツィーザー４をつまんでいた部分には、第１の折り目部１３とは逆向きに折れた第２の折り目部１４が形成されていることになる。この第２の折り目部１４は、第１の折り目部１３よりも浅く折れ曲がっていることが好ましい。
【００２７】
続いて、一端部１１側のうち、未だ剥がされていない最端部領域１５を粘着性物質３から剥がす（図２のＳ３）。
【００２８】
剥がされた人造まつげ１は、図３（ｃ）に示すように、略Ｌ字形状（本実施の形態では、逆Ｌ字形状）を有していることになる。
【００２９】
続いて、剥がされた人造まつげ１の最端部領域１５に接着剤５を塗布する（図２のＳ４）。
【００３０】
この際、接着剤５は、図３（ｄ）に示すように、第１の折り目部１３に達するように塗布することが好ましいが、第１の折り目部１３に達した接着剤５は、第１の折り目部１３により、他端部１２側に流れることが抑制されることになる。
【００３１】
最後に、接着剤５が塗布された最端部領域１５をユーザのまつげＸに沿って接着させ、取り付け（装着）を終了する（（図２のＳ５、図３（ｄ））。
【００３２】
ここで、従来は、人造まつげは繊細なものであり、また、見栄えも悪くなるため、人造まつげに折り目をつけることは厳禁とされていた。その一方で、接着剤が他端部側へ流れることによる見栄えの悪化も生じていた。
【００３３】
そこで、本願の発明者は、人造まつげ１に敢えて第１の折り目部１３を形成することで、接着剤５が他端部１２側に流れていくことを抑制可能であり、図３（ｄ）に示すように、人造まつげ１の最端部領域１５をユーザのまつげＸに沿って接着させることで、ユーザの前方からは、第１の折り目部１３も接着剤５もほぼ見えなくなることを発見した。
【００３４】
更に、第１の折り目部１３に達した接着剤５により、第１の折り目部１３自体の強度も補強されるので、第１の折り目部１３を形成したことによる人造まつげ１の強度の低下も抑制されることとなった。
【００３５】
以上説明したように、本実施の形態による人造まつげの取り付け方法では、人造まつげ１に第１の折り目部１３を形成し、第１の折り目部１３に隣接する最端部領域１５をユーザのまつげＸに沿って接着させる。
【００３６】
このような構成によれば、第１の折り目部１３の角度を調整することで、ユーザのまつげＸへの人造まつげ１の取り付け角度を自由に調整することが可能になる。また、第１の折り目部１３により、人造まつげ１の最端部領域１５に塗布された接着剤５が他端部１２側に流れることが抑制されるので、人造まつげ１をユーザのまつげＸに装着した際の前面（他端部１２）側の見栄えが悪くなることが抑制される。
【００３７】
また、本実施の形態による人造まつげの取り付け方法では、人造まつげ１の最端部領域１５に接着剤５を塗布する際に、第１の折り目部１３に達するように塗布する。
【００３８】
このような構成によれば、第１の折り目部１３に達した接着剤５により、第１の折り目部１３自体の強度も補強されるので、第１の折り目部１３を形成したことによる人造まつげ１の強度の低下が抑制される。
【００３９】
また、本実施の形態による人造まつげの取り付け方法では、第１の折り目部１３を形成した後に、第１の折り目部１３を形成した時よりも第１の折り目部１３に近い部分に力を加えて、第１の折り目部１３を他端部１２側から一端部１１側へ向けてもう一度折り曲げる。
【００４０】
このような構成によれば、第１の折り目部１３を形成した時よりも強い力をかけることができるので、よりしっかりと第１の折り目部１３を形成することが可能となる。
【００４１】
また、本実施の形態による人造まつげの取り付け方法では、第１の折り目部１３を形成する工程において、他端部１２側をつまみながら人造まつげ１を粘着性物質３から剥がし、当該つまんだ部分に第１の折り目部１３とは逆向きに折れた第２の折り目部１４を形成する。
【００４２】
このような構成によれば、人造まつげ１をユーザのまつげＸに装着した際に、第２の折り目部１４によって、他端部１２側がより前方へ向くので、人造まつげ１をより見栄えよく装着することが可能となる。
【００４３】
尚、本発明の人造まつげの取り付け方法は、上述した実施の形態に限定されず、特許請求の範囲に記載した範囲で種々の変形や改良が可能である。
【００４４】
例えば、上記実施の形態では、理解容易のために、一本の人造まつげ１を取り外してユーザのまつげＸに取り付ける場合について説明したが、複数の人造まつげ１を取り付けてもよい。
【００４５】
この場合、図２のＳ１において、近接する複数の人造まつげ１の他端部１２をまとめてつまんで第１の折り目部１３を形成し、その後のステップも複数の人造まつげ１に対してまとめて行うことになる。そして、図２のＳ４において、複数の人造まつげ１の最端部領域１５を集合させて接着剤５を塗布することになるが、この場合、図４に示すように、最端部領域１５に塗布された接着剤５が他端部１２側に流れることが、表面張力によっても抑制されることになる。また、この際、各人造まつげ１は、最端部領域１５を軸として回転させることができるので、他端部１２側が開いた美しい状態で人造まつげ１を装着することが可能になる。
【００４６】
また、上記実施の形態では、略Ｌ字形状の第１の折り目部１３を形成したが、第１の折り目部１３の角度は、略Ｌ字（約９０度）に限定されず、図２のＳ１及びＳ２において、ユーザの好みに応じて自由に調整することができる。
【００４７】
また、上記実施の形態では、第１の折り目部１３の折り目をしっかりとさせるために、図２のＳ２で、第１の折り目部１３をもう一度折り曲げたが、図２のＳ１だけで所望の折り目がついている場合には省略することもできる。
【００４８】
また、上記実施の形態では、第１の折り目部１３とは逆向きに折れた第２の折り目部１４を形成したが、好みに応じて第２の折り目部１４を形成しないようにしてもよい。
【００４９】
また、上記実施の形態では、保持部材２は、略平面形状を有していたが、粘着性物質３を介して人造まつげ１を保持することができれば、円筒形状等の他の形状であってもよい。更に、人造まつげ１は、少なくとも一端部１１側が粘着性物質３によって保持されていればよく、例えば、他端部１２側も粘着性物質３によって保持されていてもよいし、一端部１１側の最先端は粘着性物質３によって保持されていない場合等も考えられる。
【符号の説明】
【００５０】
１          人造まつげ
２          保持部材
３          粘着性物質
４          ツィーザー
５          接着剤
１１      一端部
１２      他端部
１３      第１の折り目部
１４      第２の折り目部
１５      最端部領域
３１      短辺
３２      長辺
【図１（ａ）】
2019157288.tif 000003
【図１（ｂ）】
2019157288.tif 000004
【図２】
2019157288.tif 000005
【図３】
2019157288.tif 000006
【図４】
2019157288.tif 000007
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
少なくとも一端部側が粘着性物質により保持部材上に保持された人造まつげをユーザに取り付ける方法であって、
前記人造まつげを他端部側から前記一端部側へ向けて途中まで前記粘着性物質から剥がした部分で前記他端部側から前記一端部側へ向けて折り曲げることにより、前記一端部側に第１の折り目部を形成する工程と、
前記一端部側のうち、未だ剥がされていない最端部領域を前記粘着性物質から剥がす工程と、
前記剥がされた人造まつげの前記最端部領域の少なくとも一部に接着剤を塗布する工程と、
前記接着剤が塗布された前記最端部領域をユーザのまつげに沿って接着させる工程と、
を備え、
前記第１の折り目部を形成する工程において、前記他端部側をつまみながら前記人造まつげを前記粘着性物質から剥がし、前記つまんだ部分に前記第１の折り目部とは逆向きに折れた第２の折り目部を形成することを特徴とする人造まつげの取り付け方法。
【請求項２】
前記最端部領域に接着剤を塗布する際に、前記第１の折り目部に達するように塗布することを特徴とする請求項１に記載の人造まつげの取り付け方法。
【請求項３】
前記第１の折り目部を形成した後に、前記第１の折り目部を形成した時よりも前記第１の折り目部に近い部分に力を加えて、前記第１の折り目部を前記他端部側から前記一端部側へ向けてもう一度折り曲げる工程を更に備えたことを特徴とする請求項１又は２に記載の人造まつげの取り付け方法。
【請求項４】
前記保持部材上には、前記粘着性物質により複数の人造まつげが近接して並ぶように保持されており、
前記第１の折り目部を形成する工程では、前記複数の人造まつげをまとめて前記他端部側から前記一端部側へ向けて折り曲げて第１の折り目部を形成し、
前記剥がす工程では、前記複数の人造まつげの最端部領域をまとめて前記粘着性物質から剥がし、
前記塗布する工程では、前記最端部領域を集合させて前記接着剤を塗布し、
前記接着させる工程では、前記集合させた前記最端部領域を前記ユーザのまつげに沿って接着させることを特徴とする請求項１から３のいずれか一項に記載の人造まつげの取り付け方法。